(57)【要約】  コンフォーマブル型、フレキシブル型又は巻取り型ディスプレイ（１００）が、サブピクセル（１１６）のラインを含むマトリクスディスプレイ層（１１５）を有する。各ラインは、このラインに割り当てられた関連の色（１３２，１３４，１３６）を有し、各ラインは、巻取り又は曲げ方向（１４０）に沿って延びている。ディスプレイ効果層（１２８）が、マトリクス層上に形成されている。カラーフィルタ層（１５２）が、ストライプ状カラーフィルタ（１５４）を有し、これらストライプ状カラーフィルタは、巻取り又は曲げ方向に沿って延びている。ストライプ状カラーフィルタは各々、ディスプレイの曲げ又は巻取りに起因する位置合わせ不良又はカラーエラーの問題に取り組むようマトリクス層中のサブピクセルのラインに対応したフィルタカラーを有する。フレキシブルディスプレイを作製する方法も又、開示される。
2009517711.tif 000002
【特許請求の範囲】
【請求項１】
フレキシブル型、巻取り型又はコンフォーマブル型ディスプレイ（１００）であって、
サブピクセル（１１６）のラインを含むマトリクスディスプレイ層（１１５）を有し、各前記ラインは、該ラインに割り当てられた関連の色（１３２，１３４，１３６）を有し、各前記ラインは、巻取り又は曲げ方向（１４０）に沿って延び、
マトリクス層上に形成されたディスプレイ効果層（１２８）を有し、
前記巻取り又は曲げ方向に沿って延びるストライプ状カラーフィルタ（１５４）を含むカラーフィルタ層（１５２）を有し、前記ストライプ状カラーフィルタは各々、前記ディスプレイの曲げ又は巻取りに起因する位置合わせ不良及びカラーエラーの問題に取り組むよう前記マトリクス層中の前記サブピクセルラインに対応したフィルタカラーを有する、ディスプレイ。
【請求項２】
前記ストライプ状カラーフィルタ（１５４）は、前記ディスプレイとは別個に製造され、接着剤によって前記ディスプレイに取り付けられている、請求項１記載のディスプレイ。
【請求項３】
前記ストライプ状カラーフィルタ（１５４）は、成膜及びフォトリソグラフィーを用いたパターニングによって形成されている、請求項１記載のディスプレイ。
【請求項４】
前記ディスプレイを巻取りするよう構成されたスプール（１４２）を更に有する、請求項１記載のディスプレイ。
【請求項５】
前記ディスプレイ効果層を前記カラーフィルタ層に結合するよう前記ディスプレイの端部のところに被着された固定用材料（１７２）を更に有する、請求項１記載のディスプレイ。
【請求項６】
前記固定用材料（１７２）は、前記カラーフィルタ層の端部のところに前記巻取り又は曲げ方向と垂直に被着されたストライプを含む、請求項５記載のディスプレイ。
【請求項７】
前記固定用材料（１７２）は、前記カラーフィルタ層の端部のところに被着された複数個のスポットを含む、請求項５記載のディスプレイ。
【請求項８】
フレキシブル型、巻取り型又はコンフォーマブル型ディスプレイ（１００）であって、
サブピクセル（１１６）のラインを含むマトリクスディスプレイ層（１１５）を有し、各前記ラインは、該ラインに割り当てられた関連の色（１３２，１３４，１３６）を有し、各前記ラインは、巻取り又は曲げ方向（１４０）に沿って延び、前記ラインは、単一の色成分を含むよう配列され、
マトリクス層上に形成されたディスプレイ効果層（１２８）を有し、
前記ディスプレイ効果層上に形成されたカラーフィルタ層（１５４）を有し、前記カラーフィルタ層は、ストライプ状カラーフィルタ（１５２）を含み、各前記ストライプ状カラーフィルタは、対応の前記サブピクセルラインの前記単一の色成分と関連しており、前記ストライプ状カラーフィルタは、前記サブピクセルラインを覆うよう形成され、前記ストライプ状カラーフィルタは、前記ディスプレイの曲げ又は巻取りに起因する位置合わせ不良及びカラーエラーの問題に取り組むよう前記巻取り又は曲げ方向に延びている、ディスプレイ。
【請求項９】
前記ディスプレイを巻取りするよう構成されたスプール（１４２）を更に有する、請求項８記載のディスプレイ。
【請求項１０】
前記ディスプレイ効果層を前記カラーフィルタ層に結合するよう前記ディスプレイの端部のところに被着された固定用材料（１７２）を更に有する、請求項８記載のディスプレイ。
【請求項１１】
前記固定用材料（１７２）は、前記カラーフィルタ層の端部のところに前記巻取り又は曲げ方向と垂直に被着されたストライプを含む、請求項１０記載のディスプレイ。
【請求項１２】
前記固定用材料（１７２）は、前記カラーフィルタ層の端部のところに被着された複数個のスポットを含む、請求項１０記載のディスプレイ。
【請求項１３】
フレキシブルディスプレイ装置を製作する方法であって、
ラインをなして配列されたサブピクセルを有するマトリクス層を形成するステップ（３０２）を有し、１本のラインをなす各サブピクセルが所与の色成分の照明を可能にするようになっており、
ディスプレイ効果層を前記マトリックス層上に形成するステップ（３０３）を有し、
前記ディスプレイ効果層上に、カラーフィルタストライプを巻取り又は曲げ方向において長手方向に形成するステップ（３０４）を有し、各前記ストライプは、曲げに起因する位置合わせ不良及びカラーエラーを減少させるようサブピクセルのラインに対応すると共にこれを覆う、方法。
【請求項１４】
前記カラーフィルタストライプの形成ステップ（３０４）は、成膜し、フォトリソグラフィーを用いて前記カラーフィルタストライプをパターニングするステップを含む、請求項１３記載の方法。
【請求項１５】
前記カラーフィルタストライプの形成ステップ（３０４）は、前記カラーフィルタストライプのインクジェット印刷するステップを含む、請求項１３記載の方法。
【請求項１６】
前記カラーフィルタストライプの形成ステップ（３０４）は、前記カラーフィルタストライプを形成するためのスクリーン印刷／シャドウマスキングステップを含む、請求項１３記載の方法。
【請求項１７】
前記カラーフィルタストライプの形成ステップ（３０４）は、前記カラーフィルタストライプを前記ディスプレイとは別個独立に製造し、前記カラーフィルタストライプを接着剤によって前記ディスプレイに取り付けるステップを含む、請求項１３記載の方法。
【請求項１８】
前記カラーフィルタストライプを前記ディスプレイの端部のところに被着された固定用材料により固定するステップ（３０８）を更に有する、請求項１３記載の方法。
【請求項１９】
前記固定用材料（１７２）は、前記カラーフィルタストライプの端部のところに前記巻取り方向と垂直に被着されたストライプを含む、請求項１８記載の方法。
【請求項２０】
前記固定用材料（１７２）は、前記カラーフィルタストライプの端部のところに被着された複数個のスポットを含む、請求項１８記載の方法。
【発明の詳細な説明】
【開示の内容】
【０００１】
本発明は、フレキシブルディスプレイに関し、特にカラーフィルタをかかるディスプレイ上に形成する装置及び方法に関する。
【０００２】
フラットパネルディスプレイは、ディスプレイのサブピクセルからの照明光から特定の色成分を除くカラーフィルタを有している。非固有色ディスプレイは、広いスペクトルを持つ光（白色）を反射し又は放出するディスプレイ効果層と、白色光を着色光に変えるカラーフィルタ層とを有している。ディスプレイ効果層及びカラーフィルタ層は、視差又はアパーチュアの問題を回避するよう正しく位置合わせされる必要がある。このようにしてコンフォーマブル型、フレキシブル型又はそれどころか巻取り（roll-up）型のディスプレイを製造する際、ディスプレイ効果層とカラーフィルタ層との間の位置合わせ（アライメント）に関する問題が、曲げ又は巻取りの際にこれらの層の半径の差に起因して生じる場合がある。
【０００３】
図１を参照すると、例示の巻取り型ディスプレイ１０が、アクティブマトリックス層１２中のピクセル（画素）構造体２２とカラーフィルタ層２０中のカラーフィルタ１４，１６，１８との間の位置合わせ関係を説明するために示されている。ピクセル構造体２２は、白色光を反射し又は放出し、この白色光は、ディスプレイ効果層１５を通り、次に各サブピクセル２２に対応している正しい位置合わせ状態のカラーフィルタ１４，１６又は１８を通る。３つのサブピクセル２２は、カラーフィルタ１４，１６，１８によってそれぞれ得られる赤色、緑色及び青色を含むピクセル画像を形成する。ライン２４が、サブピクセル２２とカラーフィルタ１４，１６，１８との間の位置合わせ関係を説明するために示されている。
【０００４】
図２を参照すると、ディスプレイ１０は、ローラ又はスプール３０上に巻き取られている状態で示されている。スプール３０の半径に起因して、カラーフィルタ１４，１６，１８とサブピクセル２２との間に位置合わせ不良状態が生じる。層２０中のカラーフィルタ１４，１６，１８とサブピクセル２２との間の位置合わせ不良状態が、ライン２４によって示されている。位置合わせ不良により、視差に関する問題が生じると共に輝度が減少し、しかも、表示された画像にカラーエラー（色誤差）及びモアレ効果が生じる場合がある。
【０００５】
本発明の実施形態は、コンフォーマブル型、巻取り（roll-up）型又はフレキシブル型ディスプレイに形成され又は被着されるカラーフィルタを説明する。ローラブル（巻取可能）型／フレキシブル型カラーディスプレイは、白色光を反射し又は放出し、カラーフィルタ層と組み合わされたディスプレイ効果層を有している。ディスプレイの着色サブピクセルは、巻取り方向に列又は行の状態に配列されている。
【０００６】
本発明の実施例は、アクティブ及び（又は）パッシブマトリクスディスプレイを含むことができる。カラーフィルタストライプが、巻取り方向に延びる状態で形成される。カラーフィルタは、行電極の方向又は列電極の方向に配置されるのが良い。ただし、この方向が、巻取り方向に平行であることを条件とする。ストライプは、巻取り方向に垂直な縁部のうちの１つに沿って固定用ストリップと組み合わせ状態にあるのが良い。かくして、固定用ストリップは、非巻取りディスプレイ縁部のうちの１つに沿ってディスプレイ効果層とカラーフィルタ層を結合する。これにより、カラーフィルタが固定されるが、ピクセル層とカラーフィルタ層との間の運動は可能になる。
【０００７】
ディスプレイの曲げ又は巻取りの際における位置合わせに関する問題によって生じる輝度減少又はカラーエラーは、カラーフィルタを巻取り方向に延びる連続ストライプの状態にパターニングすることによって回避される。ディスプレイ効果層とカラーフィルタ層との間の半径の差は、実質的に無くなる。というのは、カラーフィルタとその下に位置するピクセルとの間の位置合わせ不良が無くなるからである。コンフォーマブル型、フレキシブル型又は巻取り型ディスプレイは、サブピクセルのラインを含むマトリックスディスプレイを含む。ディスプレイは、任意のマトリックスディスプレイ、即ち、アクティブ又はパッシブマトリクスディスプレイであって良い。各ラインは、このラインに割り当てられた関連の色を有し、各ラインは、巻取り又は曲げ方向に沿って延びている。ディスプレイ効果層が、マトリクス層上に形成されている。カラーフィルタ層が、ストライプ状カラーフィルタを有し、これらストライプ状カラーフィルタは、巻取り又は曲げ方向に沿って延びている。ストライプ状カラーフィルタは各々、ディスプレイの曲げ又は巻取りに起因する位置合わせ不良又はカラーエラーの問題に取り組むようマトリクス層中のサブピクセルのラインに対応したフィルタカラーを有する。フレキシブルディスプレイを作製する方法も又、開示される。
【０００８】
本願の特許請求の範囲及び本明細書は、行（ロウ）に関するものであるが、ピクセルの位置合わせは、列（コラム）方向に実施できることは理解されるべきである。行という用語は、同じ色の表示を有するピクセルのラインを意味するものとして便宜上用いられている。これらの原理に従って被着されるカラーフィルタにより得られる利点としては、カラーエラー、視差又は他の悪影響を生じさせる位置合わせ不良に関する問題が解決されること及びカラーフィルタ層の製造が容易になることが挙げられる。
【０００９】
本発明のこれらの目的、特徴及び並びに他の目的、特徴及び利点は、添付の図面と関連して読まれるべき本発明の例示の実施形態に関する以下の詳細な説明から明らかになろう。
【００１０】
本発明の内容は、種々の図を参照して行われる好ましい実施形態の以下の説明において詳細に説明される。
【００１１】
本開示内容は、ディスプレイ観察品質を向上させるためにサブピクセルとカラーフィルタとの間の位置合わせ状態の向上を含むフレキシブル又は巻取り型ディスプレイの実施形態を提供する。
【００１２】
図示の要素を種々の形態で具体化できることは理解されるべきである。例示目的で、コンフォーマブル型、フレキシブル型又は巻取り型ディスプレイを形成できるポリマー基板を有する電気泳動型ディスプレイを用いて実施形態を本明細書において説明する。他形式のディスプレイも又、本明細書における教示に基づいて恩恵を受けることができる。例えば、液晶ディスプレイ、エレクトロルミネセンス（ＥＬ）ディスプレイ等は、本明細書における教示を利用することができる。
【００１３】
次に図面（図中、同一の符号は、同一又は類似の要素を示している）を参照し、最初に図３を参照すると、コンフォーマブル型、フレキシブル型又は巻取り型ディスプレイ１００の断面図が、一実施形態の原理に従って示されている。ディスプレイ効果層１２８が、光の透過及び分散を可能にする物質又は材料を含む。図３の実施形態では、ディスプレイ効果層１２８は、光を観察者まで案内する液晶、電気泳動表示媒体又は任意他の発光又は反射物質を含むのが良い。バックプレーン基板１１４が、軟質ポリマー材料を含むのが良く、この軟質ポリマー材料上には、サブピクセル１１６及び他の電子部品を含むアクティブマトリクス層１１５が形成されている。これら電子部品は、トランジスタ（薄膜トランジスタＴＦＴ）、キャパシタ、導電性ライン等を含む場合がある。単純化のために、サブピクセル１１６だけが示されている。バックリット型実施形態の場合、光が基板１１４又は他のバックエンドデバイスに通されてサブピクセル１１６を通る光が得られる。他の実施形態は、サブピクセル１１６の観察側から見て光をサブピクセル１１６から反射させる反射型ディスプレイを含む場合がある。セルギャップ１１８が、ディスプレイ効果材料、例えば液晶、電気泳動表示媒体（例えば、製造業者であるイー・インク・コーポレイション（E Ink Corporation）製の電気泳動インクを収容したカプセル）又はピクセル１１６に応動する他のディスプレイ効果材料で満たされている。例えば、画素１１６は、動作状態になると、当該技術分野において知られているように液晶の配向又はＥインクカプセルの変化を生じさせる。基板１２１上には、共通電極１２０が形成されているのが良い。共通電極１２０は、サブピクセル１１６と協働して隣接のディスプレイ効果材料の状態を配向させ又は調節する。カラーフィルタ層１５２が、部品又は基板１２１として設けられている。
【００１４】
図４を参照すると、サブピクセルアレイ１５０が、サブピクセル１１６の配列体を有し、これらサブピクセルは、線形関係をなして、例えば、同一の行又は列１３２，１３４，１３６（以下、分かりやすくするために、行と称する）に同一の色値が割り当てられるよう構成されている。各行１３２，１３４，１３６は、同一の色に対応している。ディスプレイ１００の着色サブピクセル１１６は、巻取り方向１４０において行の状態に配列されている（ロール１４２が、例示目的でこの図に示されている）。３つの色の行（例えば、赤色１３４、緑色１３６及び青色１３８）が、ディスプレイの端から端まで繰り返し存在している。３つの色成分を例示的に図示すると共に説明するが、他の配列としても良い。例えば、一実施形態では、４行型（例えば、赤色、緑色、青色及び白色（ＲＧＢＷ））を採用しても良い。各行（１３２，１３４，１３６）は、スプール又はロール１４２の長手方向軸線に対して横方向の巻取り方向１４０に差し向けられている。
【００１５】
図５を参照すると、巻取り型カラーディスプレイ１００は、形成されたディスプレイ効果層１２８及びアクティブ／パッシブマトリクス層１１５上のサブピクセル１１６と位置合わせ状態に配置されるべきカラーフィルタ層１５２を有している。カラーフィルタ層１５２を互いに異なる複数のやり方で製作して配置することができる。カラーフィルタ層１５２を成膜及びフォトリソグラフィーによるパターニングによってディスプレイ効果層１２８上に形成するのが良い。例えば、第１の色の成膜後、パターニングプロセスを実施し、このパターニングプロセスにより第１の色の長手方向ストライプ１５４を巻取り１４０の方向に形成する。第１の色の各ストライプ１５４は、巻取り方向１４０に対して横方向に対応してこの方向に位置合わせされる。同様なプロセスを実施してその色のサブピクセル１１６に対応した他のカラーフィルタのストライプ１５４を形成する。カラーフィルタは、厚さが１００ｎｍ〜約１０ミクロンの材料を含むのが良く、好ましくは公知であるのが良いポリマー材料である。
【００１６】
変形実施形態では、カラーフィルタ層１５２をスピンコーティング、スプレーコーティング（溶射）、蒸着、ドクターブレード法又はこれらに類似した成膜方法によって形成するのが良い。一実施形態では、カラーフィルタ層は、図６に例示的に示されているように交互に位置する色成分を有するシートとして形成されている。カラーフィルタシート１６０を互いに異なる色１６１〜１６３が交互に設けられた単一のシートの状態に形成するのが良い。シート１６０は、押し出し法で成形された薄いポリマー材料から成るのが良い。シート１６０をディスプレイ１００（図３）に接着し又は違ったやり方でくっつけてカラーフィルタ層１５２を形成するのが良い。
【００１７】
有利には、カラーフィルタ層１５２は、巻取り方向１４０に対して横方向におけるサブピクセルのピッチについて関心を持つだけで良い。これにより、サブピクセル１１６とカラーフィルタとの間の位置合わせを取ることが非常に容易になる。本明細書の開示では、着色サブピクセル１１６は、水平ストライプの状態に配列されている。これにより、ディスプレイ上の行及び列の配列及びそれによる駆動又はバックプレーンエレクトロニクスから見て必要な性能に関する視差が得られる。
【００１８】
図７を参照すると、固定用ストリップ１７２を用いてカラーフィルタストライプ１７０を巻取り方向１４０に垂直な縁部のうちの１つに沿って固定するのが良い。固定用ストリップ１７２は、非巻取りディスプレイ縁部のうちの１つに沿ってディスプレイ効果層１２８とカラーフィルタ層１５２を互いに結合する。上述したように、ディスプレイの曲げ又は巻取りの際における位置合わせに関する問題によって生じる輝度減少又はカラーエラーは、カラーフィルタを巻取り方向に延びる連続ストライプの状態にパターニングすることによって回避される。ディスプレイ効果層とカラーフィルタ層との間の半径の差は、実質的に無くなる。というのは、カラーフィルタとその下に位置するピクセルとの間の位置合わせ不良が無くなるからである。輝度減少又はカラーエラーが生じることは無いであろう。
【００１９】
図７は、一実施形態によるＲＧＢ（赤色、緑色、青色）カラーディスプレイ２００を例示的に示している。しかしながら、ＲＧＢ以外の配列の仕方、例えばＲＧＢＷ（ＲＧＢ白色）又はＣＭＹ（シアン、マゼンタ、イエロー）を採用することができる。黒色ストライプ（図示のブート）も又、ストライプ１７０を分離し又は境界付けるために着色ストライプ１７０相互間に用いるのが良い。３つのサブピクセルで構成されたピクセルを互いに配列して３つの隣り合う行がピクセル画像に必要な３つのサブピクセルを覆うように配置されていることは、理解されるべきである。カラーフィルタストライプは、連続的に交互に位置し、例えば、ＲＧＢ、ＲＧＢ等である必要はなく、その代わり、他の配列の仕方、例えばＲＧＢ、ＢＧＲ、ＲＧＢが可能であり、したがって、この場合、同一の色、この場合Ｂ及びＲを互いに隣接して形成できるようになっている。これにより、公差を甘くすることができ、しかも製造性を向上させることができる。
【００２０】
固定用ストリップ１７２の積層接着特性に応じて、固定用ストリップを用いてディスプレイ効果層１２８及びカラーフィルタ層１５２を非巻取りディスプレイ縁部のうちの１つに沿って固定して２つの層の互いに対する望ましくないドリフトを阻止するのが良い。固定用ストリップ１７０をディスプレイ２００の１つの側に沿って用いるのが良く、それにより、曲げ又は巻取りに起因するカラーエラーを生じさせないでディスプレイ効果層に対するカラーフィルタ層１５２の運動が可能になる。他の配列の仕方も可能であり、例えば、１つ又は２つ以上の固定用スポット１７６をディスプレイ２００の互いに反対側の側部に設けることができる。
【００２１】
図８を参照すると、ストライプ状カラーフィルタを備えたフレキシブル型／巻取り型ディスプレイを製作する方法を説明する流れ図が示されている。水平及び垂直は、カラーフィルタ及びサブピクセルの相対的配向状態を説明するために例示的に用いられる。他の方向及び向きも又採用可能である。ブロック３０２では、アクティブ／パッシブマトリクスを有し、色に従ってサブピクセルが交互の水平行の状態に配列されたディスプレイ装置を用意する。ブロック３０３では、ディスプレイ効果層をカラーフィルタ層の作製の際に必要に応じて他の部品と一緒に形成し又は設ける。ブロック３０４では、ストライプ状カラーフィルタを対応関係にある色のサブピクセル行上に水平に形成することによりカラーフィルタ層を形成する。カラーフィルタを形成するのに多くの方法を採用することができる。例えば、カラーフィルタを形成するのにスピンコーティング、スプレーコーティング、蒸着、ドクターブレード法又はこれらに類似した成膜方法を採用することができる。カラーフィルタを形成するには、フォトリソグラフィーによりカラーフィルタをストライプ又はパッチの状態にパターニングし、次に、次のカラーフィルタの成膜及びパターニングを行って、ついには全てのカラーフィルタが形成されるようにするのが良い。スクリーン印刷又はインクジェット印刷を用いてパターニングされたカラーフィルタを直接成膜しても良い。カラーフィルタを別々に製造して以下のように位置合わせ状態に配置しても良い。
【００２２】
ブロック３０６では、サブピクセルのピッチに対するカラーフィルタの位置合わせを行う。有利には、位置合わせは、ディスプレイの長さに沿う垂直方向において必要であるに過ぎない。ブロック３０８では、カラーフィルタ層をディスプレイ効果層に固定するのに１つの固定用ストリップ、複数のストリップ又はスポットを配置する。プロセスは、必要に応じて続く。
【００２３】
カラーフィルタを備えた巻取り型ディスプレイ及びその製作方法に関する好ましい実施形態（これらは、例示であって、本発明を限定するものではない）を説明したが、当業者であれば、上述の教示に照らして改造及び変形を行うことができるということが注目される。したがって、本明細書に開示され特許請求の範囲に記載されている特定の実施形態に係る発明範囲及び精神に属する変更を、開示した本発明の特定の実施形態に関して行うことができるということは理解されるべきである。かくして、特に特許法によって必要条件とされている細部の説明を行った上で、クレーム請求され、特許法によって保護されることが望ましい内容は、特許請求の範囲に記載されている。
【００２４】
原文の特許請求の範囲（請求項）の解釈にあたり、次のことが理解されるべきである。
ａ）“comprising”という単語は、所与の請求項に記載された要素又は動作の存在以外の要素又は動作の存在を排除するものではない。
ｂ）要素の前に位置する“ａ”又は“ａｎ”という単語は、かかる要素が複数存在することを排除するものではない。
ｃ）請求項に記載された参照符号は、本発明の範囲を限定しない。
ｄ）幾つかの“means”は、同一のアイテム又はハードウェア若しくはソフトウェアにより具体化される構造又は機能によって表される場合がある。
ｅ）動作の特定のシーケンスは、別段の指定が無い限り、必要ではないことが意図されている。
【図面の簡単な説明】
【００２５】
【図１】先行技術によるフレキシブル型ディスプレイの断面図である。
【図２】図１のフレキシブル型ディスプレイの断面図であり、サブピクセルとカラーフィルタとの間の位置合わせ不良状態を示す図である。
【図３】一実施形態によるフレキシブル型ディスプレイの断面図である。
【図４】別の例示の実施形態によるサブピクセルアレイの斜視図である。
【図５】サブピクセルアレイの斜視図であり、例示の実施形態に従ってカラーフィルタストライプがディスプレイ効果層上に形成されている状態を示す図である。
【図６】例示のカラーフィルタシートの平面図である。
【図７】カラーフィルタストライプを固定するための固定用ストリップ及び（又は）スポットを示すフレキシブル型ディスプレイの平面図である。
【図８】本発明の実施形態に従ってカラーフィルタを作製する例示の方法を示す流れ図である。
【図１】
2009517711.tif 000003
【図２】
2009517711.tif 000004
【図３】
2009517711.tif 000005
【図４】
2009517711.tif 000006
【図５】
2009517711.tif 000007
【図６】
2009517711.tif 000008
【図７】
2009517711.tif 000009
【図８】
2009517711.tif 000010
【国際調査報告】
2009517711.tif 000011
2009517711.tif 000012